(57)【要約】【課題】  撮影方向が互いに異なるように同一の筐体に設けられている２つの撮像部のいずれで撮影を行なう場合であっても、この撮影と同時に行なう音声等の音の入力を通話用マイクロホンを用いて常に良好に行なうことができる撮像機能付き携帯電話機を提供する。【解決手段】  第１撮像部３８と、当該第１撮像部３８と異なる撮影方向を有する第２撮像部４０と、通話用マイクロホン３０と、当該通話用マイクロホン３０から入力した音とともに第１撮像部３８又は第２撮像部４０で撮影した映像の映像処理を行なう映像処理部４８ａと、を筐体３６に備え、通話用マイクロホン３０が、その集音方向が第１撮像部３８の撮影方向と略同一の方向と、第２撮像部４０の撮影方向と略同一の方向との間の角度範囲で回動自在に筐体３６に支持されて設けてあるようにした。【選択図】      図１
2006186679.tif 000002
【特許請求の範囲】
【請求項１】
第１撮像部と、
当該第１撮像部と異なる撮影方向を有する第２撮像部と、
通話用マイクロホンと、
当該通話用マイクロホンから入力した音とともに前記第１撮像部又は第２撮像部で撮影した映像の映像処理を行なう映像処理部と、を筐体に備え、
前記通話用マイクロホンが、その集音方向が前記第１撮像部の撮影方向と略同一の方向と、前記第２撮像部の撮影方向と略同一の方向との間の角度範囲で回動自在に前記筐体に支持されて設けてあることを特徴とする撮像機能付き携帯電話機。
【請求項２】
前記第１撮像部又は前記第２撮像部による撮影と前記通話用マイクロホンによる集音の開始を指示するための操作部と、
前記通話用マイクロホンの集音方向を検出する検出部と、
前記操作部による撮影及び集音の開始の指示が行なわれたときに、前記検出部により前記通話用マイクロホンの集音方向が前記第１撮像部の撮影方向と略同一の方向に向いていることが検出された場合には第１撮像部を起動させ、前記検出部によりマイクロホンの集音方向が前記第２撮像部の撮影方向と略同一の方向に向いていることが検出された場合には第２撮像部を起動させるよう制御する制御部と
を備えたことを特徴とする請求項１に記載の撮像機能付き携帯電話機。
【請求項３】
前記制御部は、
前記第１撮像部の動作中に、前記検出部により前記通話用マイクロホンの集音方向が第１撮像部の撮影方向と略同一の方向に向いている状態が検出されなくなった場合には、第１撮像部を停止すると共に前記第２撮像部を起動させるよう制御し、かつ、
前記第２撮像部の動作中に、前記検出部により前記通話用マイクロホンの集音方向が第２撮像部の撮影方向と略同一の方向に向いている状態が検出されなくなった場合には、第２撮像部を停止すると共に前記第１撮像部を起動させるよう制御するようになっていることを特徴とする請求項２に記載の撮像機能付き携帯電話機。
【請求項４】
前記第１撮像部による撮影及び前記通話用マイクロホンによる集音の開始を指示するための第１撮影キーと、
前記第２撮像部による撮影及び前記通話用マイクロホンによる集音の開始を指示するための第２撮影キーと、
前記通話用マイクロホンの集音方向を検出する検出部と、
報知部と、
前記第１撮影キーによる撮影及び集音の開始の指示が行なわれたときに、前記検出部により前記通話用マイクロホンの集音方向が前記第２撮像部の撮影方向と略同一の方向に向いていることが検出された場合、または前記第２撮影キーによる撮影及び集音の開始の指示が行なわれたときに、前記検出部により通話用マイクロホンの集音方向が第１撮像部の撮影方向と略同一の方向に向いていることが検出された場合に、前記報知部を起動させるよう制御する制御部と
を備えたことを特徴とする請求項１に記載の撮像機能付き携帯電話機。
【発明の詳細な説明】
【技術分野】
【０００１】
本発明は、撮像機能を備えて映像を撮影することができるようになっていると共に、この映像撮影と一緒に音声等の録音を行なうことができるようになっている撮像機能付き携帯電話機に関するものである。
【背景技術】
【０００２】
従来において、図８に示すように、ヒンジを介して接続された２つの筐体で構成される撮像機能付き携帯電話機１８があった（例えば、特許文献１参照）。この撮像機能付き携帯電話機１８は、上側筐体２０に表示部２６及び通話用スピーカー２８を備え、下側筐体２２に操作部２４及び指向性を有する通話用マイクロホン３０を備えるようになっていた。
【０００３】
また、この撮像機能付き携帯電話機１８は、図８及び図９に示すように、撮像部３２が回動可能に、表示部２６のすぐ近傍の上側筐体２０内で支持されており、この撮像部３２を回転させることで、次の２つの撮影位置を取ることができるようになっている。
【０００４】
１．図８に示すように、表示部２６のすぐ近傍に撮像部３２のレンズが露出して撮影方向が表示部２６の表示方向と略同一の方向を向く第１の位置。
２．上記１の位置から撮像部３２を回転させることで、図９に示すように、表示部２６の表面側とは反対の背面側に撮像部３２のレンズが露出して、撮影方向が表示部２６の表示面と略対向する方向を向く第２の位置。
【０００５】
このように構成することで、第１の位置で撮像部３２を起動することで、撮像機能付き携帯電話機１８を手に持ったユーザ自身の画像が表示部２６に表示されるため、ユーザが表示部２６に表示される自分を見ながら自分自身を撮影する「自分撮り」を行なうことができるとともに、第２の位置で撮像部３２を起動することで、外に向けてユーザ以外の対象物を見ながらその対象物を撮影する「相手撮り」を行なうことができるようになっている。
【特許文献１】特開２００４−３１２１４４号公報
【発明の開示】
【発明が解決しようとする課題】
【０００６】
しかしながら、このような従来の撮像機能付き携帯電話機１８では、音声などの音とともに画像を撮影する、例えば、動画の撮影を行なう場合に、音の入力に問題が起こる恐れがある。即ち、撮像機能付き携帯電話機１８では、撮像部３２を回転させることで撮影方向を「自分撮り」に適した方向と、「相手撮り」に適した方向に向けることができるが、音の入力を行うためにマイクロホンが必要となってしまい、部品点数が増大してしまうとともに撮像機能付き携帯電話機１８の内部スペースを圧迫してしまい現実的ではない。
【０００７】
また、通話に用いる通話用マイクロホン３０を使用して音の入力が可能であるが、通話用マイクロホン３０は集音方向が常に表示部２６の表示方向と略同一となる方向に向いて固定されているため、「自分撮り」のときはユーザの声を明瞭に入力することができても、「相手撮り」のときは撮像部３２の撮像方向と通話用マイクロホン３０の集音方向とが互いに反対方向を向いてしまうため、撮影の対象物から音を明瞭に入力することができないという問題があった。
【０００８】
そこで本発明は、上記問題点に鑑みて、撮影方向が互いに異なるように同一の筐体に設けられている２つの撮像部のいずれで撮影を行なう場合であっても、この撮影と同時に行なう音声等の音の入力を通話用マイクロホンを用いて常に良好に行なうことができる撮像機能付き携帯電話機を提供することを課題とするものである。
【課題を解決するための手段】
【０００９】
上記課題を解決するために本発明は、
第１撮像部と、
当該第１撮像部と異なる撮影方向を有する第２撮像部と、
通話用マイクロホンと、
当該通話用マイクロホンから入力した音とともに前記第１撮像部又は第２撮像部で撮影した映像の映像処理を行なう映像処理部と、を筐体に備え、
前記通話用マイクロホンが、その集音方向が前記第１撮像部の撮影方向と略同一の方向と、前記第２撮像部の撮影方向と略同一の方向との間の角度範囲で回動自在に前記筐体に支持されて設けてあることを特徴とするものである。
【００１０】
また、本発明による撮像機能付き携帯電話機は、
前記第１撮像部又は前記第２撮像部による撮影と前記通話用マイクロホンによる集音の開始を指示するための操作部と、
前記通話用マイクロホンの集音方向を検出する検出部と、
前記操作部による撮影及び集音の開始の指示が行なわれたときに、前記検出部により前記通話用マイクロホンの集音方向が前記第１撮像部の撮影方向と略同一の方向に向いていることが検出された場合には第１撮像部を起動させ、前記検出部によりマイクロホンの集音方向が前記第２撮像部の撮影方向と略同一の方向に向いていることが検出された場合には第２撮像部を起動させるよう制御する制御部とを備えたものであってもよい。
【００１１】
また、本発明による撮像機能付き携帯電話機は、
前記制御部は、
前記第１撮像部の動作中に、前記検出部により前記通話用マイクロホンの集音方向が第１撮像部の撮影方向と略同一の方向に向いている状態が検出されなくなった場合には、第１撮像部を停止すると共に前記第２撮像部を起動させるよう制御し、かつ、
前記第２撮像部の動作中に、前記検出部により前記通話用マイクロホンの集音方向が第２撮像部の撮影方向と略同一の方向に向いている状態が検出されなくなった場合には、第２撮像部を停止すると共に前記第１撮像部を起動させるよう制御するようになっていてもよい。
【００１２】
また、本発明による撮像機能付き携帯電話機は、
前記第１撮像部による撮影及び前記通話用マイクロホンによる集音の開始を指示するための第１撮影キーと、
前記第２撮像部による撮影及び前記通話用マイクロホンによる集音の開始を指示するための第２撮影キーと、
前記通話用マイクロホンの集音方向を検出する検出部と、
報知部と、
前記第１撮影キーによる撮影及び集音の開始の指示が行なわれたときに、前記検出部により前記通話用マイクロホンの集音方向が前記第２撮像部の撮影方向と略同一の方向に向いていることが検出された場合、または前記第２撮影キーによる撮影及び集音の開始の指示が行なわれたときに、前記検出部により通話用マイクロホンの集音方向が第１撮像部の撮影方向と略同一の方向に向いていることが検出された場合に、前記報知部を起動させるよう制御する制御部とを備えたものであってもよい。
【発明の効果】
【００１３】
このような本発明の撮像機能付き携帯電話機によれば、撮影方向が互いに異なるように同一の筐体に設けられている２つの撮像部のいずれで撮影を行なう場合であっても、この撮影と同時に行なう音声等の音の入力を通話用マイクロホンを用いて常に良好に行なうことができる。
【発明を実施するための最良の形態】
【００１４】
以下、本発明に係る撮像機能付き携帯電話機の実施の形態について、図面に基づいて具体的に説明する。
【００１５】
図１ないし図７は、本発明の一実施の形態に係る撮像機能付き携帯電話機３４について説明するために参照する図である。
【００１６】
図１及び図２に示すように、本実施の形態に係る撮像機能付き携帯電話機３４は、１つの筐体３６で構成されている。筐体３６の正面３６ｍには、第１撮像部３８、操作部２４、表示部２６、通話用スピーカー２８が備わっており、正面３６ｍと反対側の背面３６ｎには、第２撮像部４０が備わっている。また、筐体３６の長さ方向における通話用スピーカー２８と反対側の端部に、指向性を有する通話用マイクロホン３０を内蔵する円筒体４２が筐体３６内に支持されている。後述するように、この円筒体４２は、筐体３６の幅方向に平行な回動軸線Ｂを中心として回動自在になっている。
【００１７】
図３は、撮像機能付き携帯電話機３４の回路構成を示すブロック図である。同図に示すように、撮像機能付き携帯電話機３４は、既に説明した操作部２４、表示部２６、通話用スピーカー２８、通話用マイクロホン３０、第１撮像部３８、及び第２撮像部４０以外に、通信部４４、記憶部４６、バイブレーター４７、及びこれらを制御する制御部４８を備えている。また、制御部４８には、映像処理を行なう映像処理部４８ａが含まれている。
【００１８】
また、撮像機能付き携帯電話機３４は、通話用マイクロホン３０の集音方向を検出して、制御部４８に信号を出力するするプッシュスイッチ５０，５２（検出部に相当）を備えている。
【００１９】
通信部４４は、従来の一般的な携帯電話機と同様に、基地局との間で無線による通話等の通信を行なうようになっている。
【００２０】
また、操作部２４は、撮影キー２４ａを有するようになっている（図１参照）。この撮影キー２４ａを押下すると撮影モードに移行し、第１撮像部３８又は第２撮像部４０のいずれかを起動するとともに、通話用マイクロホン３０を起動するようになっている。
【００２１】
映像処理部４８ａは、撮影モード時に、操作部２４の所定のキーを押下することで、第１撮像部３８又は第２撮像部４０で撮影した画像と通話用マイクロホン３０で入力した音とを合成して動画像を生成する。記憶部４６は、映像処理部４８ａで生成した動画像を記憶する。
【００２２】
次に、図４は、円筒体４２が、筐体３６の端部３６ａに取付けられる前の状態を示す図である。同図に示すように、円筒体４２は、その回動軸線Ｂ方向の両端部に、中空軸４２ａ，４２ｂが形成されている。この中空軸４２ａ，４２ｂの中空部分は、円筒体４２の内部空間に連通しており、電気配線を通すことができるようになっている（図７参照）。
【００２３】
また、図４に示すように、円筒体４２には、その中空軸４２ａ側の側面４２ｃに突起部４２ｄが形成されている。突起部４２ｄの回動軸線Ｂに対する位相は、通話用マイクロホン３０の集音方向と同じ角度になっている。
【００２４】
また、筐体３６の端部３６ａには、この筐体３６の幅方向に一定の長さを有すると共に、この筐体３６の長さ方向に深さを有する凹部３６ｂが形成されており、この凹部３６ｂの互いに向き合う側面３６ｃ，３６ｄには、円筒体４２の中空軸４２ａ，４２ｂに対応する軸支孔３６ｅ，３６ｆが形成されている。円筒体４２は、その中空軸４２ａ，４２ｂのそれぞれが、筐体３６の軸支孔３６ｅ，３６ｆに軸支されるように、この筐体３６に取付けられるようになっている。
【００２５】
このように構成することで、円筒体４２は、図５に示すように、内蔵する通話用マイクロホン３０の集音方向が第１撮像部３８の撮影方向と略同一の方向を向いている状態から、手動で略１８０°回動させることにより（図５中、矢印Ｅ）、図６に示すように、通話用マイクロホン３０の集音方向が、第２撮像部４０の撮影方向と略同一の方向を向いた状態にすることができるようになっている。
【００２６】
また、この状態から円筒体４２を反対方向に回動させることにより（図６中、矢印Ｆ）、通話用マイクロホン３０の集音方向が第１撮像部３８の撮影方向と略同一の方向を向くような図５の元の状態に戻すことができるようになっている。
【００２７】
また、このような円筒体４２を回動させる操作により、通話用マイクロホン３０の集音方向が変わった場合には、図７に示すように、プッシュスイッチ５０，５２がこれを検出するようになっている。
【００２８】
プッシュスイッチ５０は、本体５０ａと突出部５０ｂとで構成されている。このプッシュスイッチ５０の本体５０ａは、筐体３６の凹部３６ｂの側面３６ｃの筐体内側に固定されており、突出部５０ｂがその側面３６ｃから外側（凹部３６ｂの内側）に突出している。この突出部５０ｂは、側面３６ｃと直交方向に進退移動可能であって、図示しない付勢手段により常に円筒体４２側に付勢されている。
【００２９】
図５に示すように、通話用マイクロホン３０の集音方向が、第１撮像部３８の撮影方向と略同一の方向を向くように円筒体４２が回動すると、図７に示すように、この円筒体４２の突起部４２ｄがプッシュスイッチ５０の突出部５０ｂをその付勢方向と反対方向に押し戻すようになるため、プッシュスイッチ５０はこれを検出することができるようになっている。プッシュスイッチ５０は、円筒体４２の突起部４２ｄによって押されたことを検出した場合には、その旨の信号を制御部４８に出力するようになっている。
【００３０】
また、プッシュスイッチ５２は、プッシュスイッチ５０と同様の構造になっており、図６に示すように、通話用マイクロホン３０の集音方向が、第２撮像部４０の撮影方向と略同一の方向を向くように円筒体４２が回動すると、この円筒体４２の突起部４２ｄによって押されたことを検出し、その旨の信号を制御部４８に出力するようになっている。
【００３１】
次に、図３に示す制御部４８の処理動作について説明する。
操作部２４の撮影キー２４ａが押下されると、制御部４８は、プッシュスイッチ５０，５２から受信する信号に基づいて、通話用マイクロホン３０の集音方向を判断するようになっている。
【００３２】
そして、制御部４８は、通話用マイクロホン３０の集音方向が、第１撮像部３８の撮影方向と略同一の方向に向いていると判断した場合には、第１撮像部３８を駆動させると共に、通話用マイクロホン３０を起動するようになっている。
【００３３】
第１撮像部３８と通話用マイクロホン３０とを用いることで、ユーザーは表示部２６を見ながら自分自身の動画撮影、いわゆる「自分撮り」を行なうことができる。
【００３４】
また、通話用マイクロホン３０の集音方向が、第２撮像部４０の撮影方向と略同一の方向に向いていると判断した場合には、第２撮像部４０を駆動させると共に、通話用マイクロホン３０を起動するようになっている。
【００３５】
第２撮像部４０と通話用マイクロホン３０とを用いることで、ユーザは表示部２６を見ながら自分以外の対象物の動画撮影、いわゆる「相手撮り」を行なうことができる。
【００３６】
また、図７に示すように、通話用マイクロホン３０の集音方向が第１撮像部３８の撮影方向と略同一の方向に向いて、プッシュスイッチ５０がこれを検出していることにより、撮影キー２４ａの操作に基づいて第１撮像部３８が起動した後において、円筒体４２を回動させる操作が行なわれてプッシュスイッチ５０による検出が行なわれなくなった場合には、制御部４８は、第１撮像部３８の動画撮影を停止させると共に、第２撮像部４０を起動するようになっている。
【００３７】
また、図示しないが、逆に通話用マイクロホン３０の集音方向が第２撮像部４０の撮影方向と略同一の方向に向いて、プッシュスイッチ５２がこれを検出していることにより、撮影キー２４ａの操作に基づいて第２撮像部４０が起動した後において、円筒体４２を回動させる操作が行なわれてプッシュスイッチ５２による検出が行なわれなくなった場合には、制御部４８は、第２撮像部４０の動画撮影を停止させると共に、第１撮像部３８を起動するようになっている。
【００３８】
このような本実施の形態に係る撮像機能付き携帯電話機３４によれば、第１撮像部３８による「自分撮り」を行なう場合でも、第２撮像部４０による「相手撮り」を行なう場合でも、通話用マイクロホン３０が撮影方向を向くようにすることができるので、撮像部による映像の撮影とともにマイクロホン３０での音の入力を良好に行なうことができる。
【００３９】
また、通話用マイクロホン３０の集音方向に応じて、第１撮像部３８と第２撮像部４０の中から起動する撮像部を自動的に切換えて、集音方向と撮像方向が略同一となるように制御することで、撮像部による映像の撮影とともに通話用マイクロホン３０での音の入力を良好に行なうことができ、かつ第１撮像部３８と第２撮像部４０の起動の切換えを１つのキー操作によって行なえるので、操作性が向上する。
【００４０】
また、第１撮像部３８又は第２撮像部４０のどちらか一方で撮影中に、通話用マイクロホン３０の集音方向を変える動作を行なった場合、集音方向と撮影方向が略同一となるように起動する撮像部を自動的に切換えるように制御することで、撮像部による映像の撮影とともに通話用マイクロホン３０での音の入力を良好に行なうことができ、かつ第１撮像部３８と第２撮像部４０の起動の切換えを１つのキー操作によって行なえるので、操作性が向上する。
【００４１】
なお、本実施の形態では、第１撮像部３８又は第２撮像部４０のいずれを起動する場合であっても、図１に示す操作部２４の撮影キー２４ａを押下するようになっていたが、動画撮影を第１撮像部３８又は第２撮像部４０のいずれで行なうかによって、この撮影を行なうために押下する操作部２４のキーが異なるようになっていてもよい。
【００４２】
例えば、撮影キー２４ａが押下された場合には、第１撮像部３８を起動し、撮影キー２４ａと異なる他の撮影キー２４ｂ（図１参照）が押下された場合には、第２撮像部４０を起動するようになっていてもよい。
【００４３】
また、このように動画撮影を第１撮像部３８又は第２撮像部４０のいずれで行なうかによって、撮影キー２４ａ又は撮影キー２４ｂを選択的に押下するようになっている場合には、第１撮像部３８又は第２撮像部４０が撮影動作を行なうときの撮影方向と通話用マイクロホン３０の集音方向が異なってしまうことがある。
【００４４】
すなわち、通話用マイクロホン３０が第１撮像部３８の撮影方向と略一致する方向に向いたまま第２撮像部４０を起動した場合と、通話用マイクロホン３０が第２撮像部４０の撮影方向と略一致する方向に向いたまま第１撮像部３８を起動した場合に、撮影方向と集音方向とが異なってしまう。
【００４５】
このため、第２撮像部４０による動画撮影のために撮影キー２４ｂを押下する操作が行なわれたときに、図７に示すように、プッシュスイッチ５０により通話用マイクロホン３０が第１撮像部３８の撮影方向と略一致する方向に向いていることが検出された場合には、制御部４８が、撮影方向と集音方向が互いに異なっている旨のメッセージを表示部２６（報知部に相当）に表示させるようになっていてもよい。
【００４６】
逆に、第１撮像部３８による動画撮影のために撮影キー２４ａを押下する操作が行なわれたときに、プッシュスイッチ５２により通話用マイクロホン３０が第２撮像部４０の撮影方向と略一致する方向に向いていることが検出された場合にも、制御部４８が、撮影方向と集音方向が互いに異なっている旨のメッセージを表示部２６に表示させるようになっていてもよい。
【００４７】
このような集音方向と撮影方向とが異なっている旨のメッセージが表示部２６に表示されるようになっていれば、ユーザーは、集音方向と撮影方向とが異なっていることに気付き、直ちに円筒体４２を回動させて通話用マイクロホン３０を撮影方向に向けることができるため、撮像部による映像の撮影とともに通話用マイクロホン３０での音の入力を良好に行なうことができる。
【００４８】
また、このような集音方向が異なっている旨のメッセージを表示部２６に表示することに代えて、又はこのようなメッセージの表示と共に、通話用スピーカー２８（報知部に相当）から所定の報知音を出力するようになっていてもよい。また、バイブレーター４７（報知部に相当）を作動させて振動により報知するようになっていてもよい。
【００４９】
また、本実施の形態では、通話用マイクロホン３０の集音方向を検出する検出部として、プッシュスイッチ５０，５２を用いるようになっていたが、このようなプッシュスイッチ５０，５２に代えて、他の機械的スイッチ、磁気センサー、又は光学センサー等を用いて検出するようになっていてもよい。
【００５０】
また、本実施の形態では、映像処理部４８ａは、制御部４８に含まれる構成になっていたが、この映像処理部４８ａは、制御部４８に含まれないものとして、通話用マイクロホン３０、第１撮像部３８、第２撮像部４０、記憶部４６、及び制御部４８に接続される独立した要素として構成されるようになっていてもよい。
【００５１】
また、本実施の形態では、単一の筐体３６だけで構成される撮像機能付き携帯電話機３４に本発明を適用した場合について説明したが、２つの筐体が互いの端部で連結されて同一面内で回動自在になっている撮像機能付き携帯電話機にも本発明を適用することができる。また、２つの筐体がヒンジを介して連結される折畳み型の撮像機能付き携帯電話機に対しても、本発明を適用することができる。
【図面の簡単な説明】
【００５２】
【図１】本発明の一実施の形態に係る撮像機能付き携帯電話機３４を示す正面図である。
【図２】本発明の一実施の形態に係る撮像機能付き携帯電話機３４を示す背面図である。
【図３】本発明の一実施の形態に係る撮像機能付き携帯電話機３４の回路構成を示すブロック図である。
【図４】図１に示す筐体３６の端部３６ａに円筒体４２が取付けられる前の状態を示す部分拡大斜視図である。
【図５】図１におけるＣ−Ｃ線矢視の拡大断面図であって、通話用マイクロホン３０の集音方向が第１撮像部３８の撮影方向と略一致している状態を示す図である。
【図６】図１におけるＣ−Ｃ線矢視の拡大断面図であって、通話用マイクロホン３０の集音方向が第２撮像部４０の撮影方向と略一致している状態を示す図である。
【図７】図１におけるＤ−Ｄ線矢視の拡大断面図である。
【図８】従来の撮像機能付き携帯電話機１８を示す斜視図であって、撮像部３２の撮影方向が表示部２６の表示方向と略同一の方向を向いている状態を示す図である。
【図９】図８に示す従来の撮像機能付き携帯電話機１８を異なる角度から見た状態を示す斜視図であって、撮像部３２の撮影方向が表示部２６の表示方向と略反対方向を向いている状態を示す図である。
【符号の説明】
【００５３】
１８  従来の撮像機能付き携帯電話機
２０  上側筐体
２２  下側筐体
２４  操作部
２４ａ，２４ｂ  撮影キー
２６  表示部
２８  通話用スピーカー
３０  通話用マイクロホン
３２  撮像部
３４  本発明の撮像機能付き携帯電話機
３６  筐体
３６ａ  端部
３６ｂ  凹部
３６ｃ，３６ｄ  側面
３６ｅ，３６ｆ  軸支孔
３６ｍ  正面
３６ｎ  背面
３８  第１撮像部
４０  第２撮像部
４２  円筒体
４２ａ，４２ｂ  中空軸
４２ｃ  側面
４２ｄ  突起部
４４  通信部
４６  記憶部
４７  バイブレーター
４８  制御部
４８ａ  映像処理部
５０  プッシュスイッチ
５０ａ  本体
５０ｂ  突出部
５２  プッシュスイッチ
【図１】
2006186679.tif 000003
【図２】
2006186679.tif 000004
【図３】
2006186679.tif 000005
【図４】
2006186679.tif 000006
【図５】
2006186679.tif 000007
【図６】
2006186679.tif 000008
【図７】
2006186679.tif 000009
【図８】
2006186679.tif 000010
【図９】
2006186679.tif 000011